(57)【要約】【課題】入退浴者を判別する入退浴者判別装置を提供する。【解決手段】入退浴者判別装置が、利用者の年齢及び体重を受け付ける利用者情報受付部２５ａと、利用者情報受付部２５ａが受け付けた利用者の年齢及び体重に基づいて当該利用者の人体の全体積のうち、浴槽で入浴した場合に湯水に浸かる入浴体積を算出する入浴体積算出部１ａと、複数の利用者の入浴体積を各別に記憶する入浴体積記憶部２ａと、水位検出部２２で検出される湯水の水位が所定の条件下で所定値以上変化した場合、変化の前後での水位の変化量に相当する実変化体積と、入浴体積記憶部２ａに記憶されている複数の利用者の入浴体積とを対比して、水位検出部２２で検出された湯水の水位の変化がどの利用者による入浴又は退浴或いは複数のどの利用者の組み合わせによる入浴又は退浴によって発生したのかを判別する利用者判別処理を行う利用者判別部１ｂとを備える。【選択図】図２
2019203622.tif 000002
【特許請求の範囲】
【請求項１】
浴槽内での湯水の水位を検出する水位検出部を備え、前記水位検出部の検出結果に基づいて、入退浴者を判別する入退浴者判別装置であって、
利用者の年齢及び体重を受け付ける利用者情報受付部と、
前記利用者情報受付部が受け付けた利用者の年齢及び体重に基づいて、当該利用者の人体の全体積のうち、前記浴槽で入浴した場合に湯水に浸かる入浴体積を算出する入浴体積算出部と、
複数の利用者の前記入浴体積を各別に記憶する入浴体積記憶部と、
前記水位検出部で検出される湯水の水位が所定の条件下で所定値以上変化した場合、変化の前後での水位の変化量に相当する実変化体積と、前記入浴体積記憶部に記憶されている複数の利用者の前記入浴体積とを対比して、前記水位検出部で検出された湯水の水位の変化がどの利用者による入浴又は退浴或いは複数のどの利用者の組み合わせによる入浴又は退浴によって発生したのかを判別する利用者判別処理を行う利用者判別部とを備える入退浴者判別装置。
【請求項２】
前記浴槽に貯えられている湯水量を変更する湯水量変更処理を実行可能な湯水量変更部を備え、
前記利用者判別部は、前記水位検出部で検出される湯水の水位が、前記湯水量変更部が前記湯水量変更処理を実行していないという条件下で前記所定値以上変化した場合に前記利用者判別処理を行う請求項１に記載の入退浴者判別装置。
【請求項３】
前記利用者判別部は、前記水位検出部で検出される湯水の水位が、所定期間内に水位の変化が終了するという条件下で前記所定値以上変化した場合に前記利用者判別処理を行う請求項１に記載の入退浴者判別装置。
【請求項４】
前記入浴体積算出部は、年齢に応じて定められる人体密度の逆数と、体重と、年齢に応じて定められる定数との積を前記入浴体積として算出する請求項１〜３の何れか一項に記載の入退浴者判別装置。
【請求項５】
前記利用者判別部は、前記利用者判別処理によって一人の利用者による入浴又は退浴があったと判別した場合、前記入浴体積算出部で算出されて前記入浴体積記憶部に記憶されている当該利用者の前記入浴体積の値を、前記実変化体積で更新する入浴体積更新処理を行う請求項１〜４の何れか一項に記載の入退浴者判別装置。
【発明の詳細な説明】
【技術分野】
【０００１】
本発明は、浴槽内での湯水の水位を検出する水位検出部を備え、水位検出部の検出結果に基づいて、入退浴者を判別する入退浴者判別装置に関する。
【背景技術】
【０００２】
特許文献１（特開平１０−５４６０７号公報）には、浴槽内での湯水の水位を検出する水位検出部を備え、水位検出部の出力変化パターンに基づいて、浴槽で入浴中の入浴者を判別する装置が記載されている。具体的には、特許文献１に記載の装置では、先ず、入浴者自身が、浴槽に入った場合の水位変化パターン（水位センサの出力変化パターン）をメモリ領域に登録する作業を行う。この装置は、入浴時に入浴者が浴槽に入るときに検出された実際の水位変化パターンを予め登録済みの水位変化パターンと比較して、同一の水位変化パターンを選択し、それにより入浴者が誰であるのかを判別する。
【０００３】
また、特許文献１には、浴槽に入った場合の水位変化パターンの例として、浴槽への入浴後水位が安定するまでの水位変化量の差によって入浴者を識別するパターンデータ、人が浴槽の湯につかる勢いによって入浴者を識別するデータ、人が浴槽に入ってから水位が安定するまでの時間によって入浴者を識別するデータ、入浴者の特殊な身体動作（例えば浴槽に入る前に一旦浴槽に手を入れて湯温を確認してから浴槽に入り込む動作）によって識別するデータなどが記載されている。
【先行技術文献】
【特許文献】
【０００４】
【特許文献１】特開平１０−５４６０７号公報
【発明の概要】
【発明が解決しようとする課題】
【０００５】
特許文献１に記載の装置では、入浴する利用者が自身の水位変化パターンを登録する作業を、実際に入浴しながら行わなければならない。そのため、利用者に面倒な作業を強いることになる。
【０００６】
また、特許文献１に記載の装置では、親と子などの複数人が同時に浴槽へ入る場合は想定されておらず、そのような場合には対応できない。
【０００７】
本発明は、上記の課題に鑑みてなされたものであり、その目的は、入退浴者を適切に判別する入退浴者判別装置を提供する点にある。
【課題を解決するための手段】
【０００８】
上記目的を達成するための本発明に係る入退浴者判別装置の特徴構成は、浴槽内での湯水の水位を検出する水位検出部を備え、前記水位検出部の検出結果に基づいて、入退浴者を判別する入退浴者判別装置であって、
利用者の年齢及び体重を受け付ける利用者情報受付部と、
前記利用者情報受付部が受け付けた利用者の年齢及び体重に基づいて、当該利用者の人体の全体積のうち、前記浴槽で入浴した場合に湯水に浸かる入浴体積を算出する入浴体積算出部と、
複数の利用者の前記入浴体積を各別に記憶する入浴体積記憶部と、
前記水位検出部で検出される湯水の水位が所定の条件下で所定値以上変化した場合、変化の前後での水位の変化量に相当する実変化体積と、前記入浴体積記憶部に記憶されている複数の利用者の前記入浴体積とを対比して、前記水位検出部で検出された湯水の水位の変化がどの利用者による入浴又は退浴或いは複数のどの利用者の組み合わせによる入浴又は退浴によって発生したのかを判別する利用者判別処理を行う利用者判別部とを備える点にある。
前記入浴体積算出部は、年齢に応じて定められる人体密度の逆数と、体重と、年齢に応じて定められる定数との積を前記入浴体積として算出してもよい。
【０００９】
上記特徴構成によれば、入浴体積算出部は、利用者情報受付部が受け付けた利用者の年齢及び体重に基づいて、その利用者の人体の全体積のうち、浴槽で入浴した場合に湯水に浸かる入浴体積を算出し、入浴体積記憶部は、そのようにして算出された複数の利用者の入浴体積を各別に記憶する。つまり、利用者が自身の年齢及び体重を登録するという単純な作業を行うだけで、入浴体積算出部には、その利用者と関連付けられた入浴者体積が記憶される。
【００１０】
加えて、利用者判別部は、水位検出部で検出される湯水の水位が所定の条件下で所定値以上変化した場合、変化の前後での水位の変化量に相当する実変化体積と、入浴体積記憶部に記憶されている複数の利用者の入浴体積とを対比して、水位検出部で検出された湯水の水位の変化がどの利用者による入浴又は退浴或いは複数のどの利用者の組み合わせによる入浴又は退浴によって発生したのかを判別する利用者判別処理を行うことができる。
従って、入退浴者を適切に判別する入退浴者判別装置を提供できる。
【００１１】
本発明に係る入退浴者判別装置の別の特徴構成は、前記浴槽に貯えられている湯水量を変更する湯水量変更処理を実行可能な湯水量変更部を備え、
前記利用者判別部は、前記水位検出部で検出される湯水の水位が、前記湯水量変更部が前記湯水量変更処理を実行していないという条件下で前記所定値以上変化した場合に前記利用者判別処理を行う点にある。
【００１２】
湯水量変更部が湯水量変更処理を実行していない場合、水位検出部で検出される湯水の水位が所定値以上変化したとすると、その水位変化は、利用者の入浴又は退浴により発生したと考えてよい。
そこで本特徴構成では、利用者判別部は、水位検出部で検出される湯水の水位が、湯水量変更部が湯水量変更処理を実行していないという条件下で所定値以上変化した場合に利用者判別処理を行って、入退浴者の判別を行うことができる。
【００１３】
本発明に係る入退浴者判別装置の更に別の特徴構成は、前記利用者判別部は、前記水位検出部で検出される湯水の水位が、所定期間内に水位の変化が終了するという条件下で前記所定値以上変化した場合に前記利用者判別処理を行う点にある。
【００１４】
浴槽への足し湯が行われると水位が上昇する。また、浴槽から湯水が排水されると水位が低下し、入浴者が浴槽の湯水を桶などで取り出すと水位が低下する。但し、そのような水位の増減と比較して、利用者が入浴するときの水位上昇及び退浴するときの水位低下は、大きな変化量で且つ短時間で行われると考えてよい。
そこで本特徴構成では、利用者判別部は、水位検出部で検出される湯水の水位が、所定期間内に水位の変化が終了するという条件下で所定値以上変化した場合に利用者判別処理を行って、入退浴者の判別を行うことができる。
【００１５】
本発明に係る入退浴者判別装置の更に別の特徴構成は、前記利用者判別部は、前記利用者判別処理によって一人の利用者による入浴又は退浴があったと判別した場合、前記入浴体積算出部で算出されて前記入浴体積記憶部に記憶されている当該利用者の前記入浴体積の値を、前記実変化体積で更新する入浴体積更新処理を行う点にある。
【００１６】
上記特徴構成によれば、入浴体積算出部で算出されて入浴体積記憶部に記憶されている利用者の入浴体積（即ち、利用者の年齢及び体重に基づいて入浴体積算出部が算出した入浴体積）を、より正確だと思われる利用者の実際の入浴体積（即ち、水位検出部の検出結果に基づく実変化体積）に更新して、以後の入浴者の判別に利用できる。
【図面の簡単な説明】
【００１７】
【図１】入退浴者判別装置が設けられる給湯システムの構成を示す図である。
【図２】給湯システムの機能を示すブロック図である。
【図３】浴槽と熱源機との間で湯水を循環させる状態を説明する図である。
【図４】浴槽の湯水を増加させる状態を説明する図である。
【図５】浴槽の湯水を減少させる状態を説明する図である。
【図６】利用者判別処理を説明する図である。
【図７】利用者判別処理を説明する図である。
【発明を実施するための形態】
【００１８】
＜第１実施形態＞
以下に図面を参照して本発明の第１実施形態に係る入退浴者判別装置について説明する。
図１は、入退浴者判別装置が設けられる給湯システムの構成を示す図である。
給湯システムは、浴槽２０と熱源機１０との間で湯水が循環できる循環路７を有する。循環路７は、浴槽２０の風呂アダプタ２１に接続される。循環路７のうちの復路７ｂの途中には、弁Ｖ１とポンプＰとが設けられる。循環路７のうちの往路７ａの途中には、三方弁Ｖ４と水位検出部２２と流量検出部２４とが設けられる。熱源機１０には、燃焼器３で発生した熱を、循環路７を流れる湯水に与えることのできる熱交換部４が設けられる。そして、給湯システムでは、循環路７のうちの復路７ｂを通って熱源機１０の熱交換部４に流入してきた湯水を加熱し、その加熱後の湯水を、循環路７のうちの往路７ａを通って浴槽２０へと供給する運転を行うことができる。熱源機１０では、復路７ｂの途中の、弁Ｖ１とポンプＰとの間には、上水が供給される給水路６が接続される。給水路６の途中には弁Ｖ３が設けられる。
【００１９】
燃焼器３は、燃料を燃焼して燃焼熱を発生させる装置である。本実施形態では、ガスを燃料としているため、燃焼器３にはガス供給路５が接続されている。ガス供給路５の途中には弁Ｖ２が設けられている。
【００２０】
循環路７のうちの往路７ａの途中に設けられる三方弁Ｖ４には、排水路２３も接続される。三方弁Ｖ４の切替状態として排水状態及び非排水状態とがある。非排水状態は、熱源機１０側の往路７ａと浴槽２０側の往路７ａとの間で湯水を流し、排水路２３には湯水を流さない状態である。排水状態は、浴槽２０側の往路７ａと排水路２３との間で湯水を流し、熱源機１０側の往路７ａには湯水を流さない状態である。
【００２１】
図２は、給湯システムの機能を示すブロック図である。図１及び図２に示すように、熱源機１０の動作を制御する制御装置１には、水位検出部２２の検出結果と、流量検出部２４の検出結果とが伝達される。
弁Ｖ１、弁Ｖ２、弁Ｖ３、三方弁Ｖ４、ポンプＰ、燃焼器３には、制御装置１から制御指令が伝達される。
制御装置１と、情報入出力装置２５及び記憶装置２のそれぞれの間では、情報がやり取りされる。
【００２２】
〔循環運転〕
図３は、浴槽２０と熱源機１０との間で湯水を循環させる状態を説明する図である。この場合、制御装置１は、弁Ｖ１を開き、弁Ｖ３を閉じ、三方弁Ｖ４を非排水状態に切り替え、ポンプＰを動作させる。これにより、浴槽２０に貯えられている湯水が、循環路７の復路７ｂを通って熱源機１０に至り、熱源機１０から循環路７の往路７ａを通って浴槽２０へと至るように流れる。このとき、制御装置１が弁Ｖ２を開いて燃焼器３にガスを供給し、制御装置１が燃焼器３を燃焼作動させれば、湯水を熱交換部４で加熱した上で、浴槽２０へと供給する運転（追焚き運転）を行うことができる。
【００２３】
〔湯水増加運転〕
図４は、浴槽２０の湯水を増加させる状態を説明する図である。この場合、制御装置１は、弁Ｖ１を閉じ、弁Ｖ３を開き、三方弁Ｖ４を非排水状態に切り替える。これにより、給水路６から供給される上水が、その給水圧によって合流部８から循環路７の復路７ｂを通って、熱源機１０から循環路７の往路７ａを通って浴槽２０へと至るように流れ、浴槽２０での湯水の水位が高くなる。このとき、制御装置１が弁Ｖ２を開いて燃焼器３にガスを供給し、制御装置１が燃焼器３を燃焼作動させれば、湯水を熱交換部４で加熱した上で、浴槽２０へと供給する運転（足し湯運転）を行うことができる。
また、制御装置１は、流量検出部２４の検出結果に基づいて、この湯水増加運転を行うことで浴槽２０へ供給された湯水量を知ることができる。
【００２４】
〔湯水減少運転〕
図５は、浴槽２０の湯水を減少させる状態を説明する図である。この場合、制御装置１は、弁Ｖ１を閉じ、弁Ｖ３を閉じ、三方弁Ｖ４を排水状態に切り替える。これにより、浴槽２０に貯えられている湯水が排水路２３を通って排出され、浴槽２０での湯水の水位が低くなる。
また、制御装置１は、流量検出部２４の検出結果に基づいて、この湯水減少運転を行うことで浴槽２０から排出された湯水量を知ることができる。
【００２５】
上述した循環運転及び湯水増加運転及び湯水減少運転などは、制御装置１により自動で切り替えられることや、情報入出力装置２５を用いて行われる利用者の指令に基づいて行われる。
例えば、利用者が情報入出力装置２５によって浴槽２０の湯水の追焚き指令を行った場合には、制御装置１はその指令に基づいて循環運転（追焚き運転）を行う。利用者が情報入出力装置２５によって浴槽２０への湯張り指令を行った場合には、制御装置１はその指令に基づいて湯水増加運転を行う。浴槽２０に貯えられている湯水の温度が設定値未満になった場合には、制御装置１は循環運転（追焚き運転）を行う。
【００２６】
以上のように、本実施形態の給湯システムでは、浴槽２０に貯えられている湯水量を変更する湯水量変更処理として、湯水量を増加させる処理と、湯水量を減少させる処理とを行うことができる。
浴槽２０の湯水量を増加させる場合、制御装置１は、上記湯水増加運転を行うために、流量検出部２４の検出結果を参照しながら、弁Ｖ１と、弁Ｖ３と、三方弁Ｖ４との動作を制御する。つまり、この場合は、制御装置１と、流量検出部２４と、弁Ｖ１と、弁Ｖ３と、三方弁Ｖ４とで湯水量変更部Ｄの機能が実現される。
浴槽２０の湯水量を減少させる場合、制御装置１は、上記湯水減少運転を行うために、流量検出部２４の検出結果を参照しながら、弁Ｖ１と、弁Ｖ３と、三方弁Ｖ４との動作を制御する。つまり、この場合も、制御装置１と、流量検出部２４と、弁Ｖ１と、弁Ｖ３と、三方弁Ｖ４とで湯水量変更部Ｄの機能が実現される。
【００２７】
〔入退浴者判別装置〕
本発明の入退浴者判別装置は、浴槽２０内での湯水の水位を検出する水位検出部２２を備え、水位検出部２２の検出結果に基づいて、入退浴者を判別するように構成されている。特に、入退浴者判別装置は、利用者の年齢及び体重を受け付ける利用者情報受付部２５ａと、利用者情報受付部２５ａが受け付けた利用者の年齢及び体重に基づいて、当該利用者の人体の全体積のうち、浴槽２０で入浴した場合に湯水に浸かる入浴体積を算出する入浴体積算出部１ａと、複数の利用者の入浴体積を各別に記憶する入浴体積記憶部２ａと、所定の条件下で、水位検出部２２で検出される湯水の水位が所定値以上変化した場合、変化の前後での水位の変化量に相当する実変化体積と、入浴体積記憶部２ａに記憶されている複数の利用者の入浴体積とを対比して、水位検出部２２で検出された湯水の水位の変化がどの利用者による入浴或いは複数のどの利用者の組み合わせによる入浴によって発生したのかを判別する利用者判別処理を行う利用者判別部１ｂとを備える。
【００２８】
本実施形態では、制御装置１は、入浴体積算出部１ａ及び利用者判別部１ｂとして機能する。情報入出力装置２５は、利用者情報受付部２５ａとして機能する。記憶装置２は、入浴体積記憶部２ａとして機能する。
【００２９】
〔年齢及び体重に基づいて入浴体積を算出する方法〕
以下に、利用者の年齢及び体重に基づいて入浴体積を算出する方法について説明する。
先ず、人の全身体積は、体重と、その人の体の密度（＝人体密度）が分かれば推定できる。ここで、人体の全身体積をＶ、体重をｍ、人体密度をρｈとすれば、Ｖ＝（１／ρｈ）×ｍとなる。また、全身体積のうち、浴槽２０で入浴した場合に湯水に浸かる体積、即ち、入浴体積ＶＬは、その人の年齢（頭身）に応じた定数Ｃを全身体積Ｖに乗じる事によって求める事ができる。つまり、入浴体積ＶＬ＝Ｖ×Ｃ＝（１／ρｈ）×ｍ×Ｃとなる。ここで、定数Ｃは全身体積に対する入浴体積の比率を示す１以下の値であり、例えばＣ＝０．８であれば、入浴時に全身体積の８０％が浴槽２０の湯水に浸かることを表す。
【００３０】
従って、利用者の年齢に応じた人体密度及び定数Ｃが決まれば、入浴体積算出部１ａは、年齢に応じて定められる人体密度の逆数と、体重と、年齢に応じて定められる定数との積を入浴体積として算出できる。人体密度ρｈ及び人の頭身は、年齢によっておおまかな傾向が決まっている事が知られており、本実施形態では以下の表１のような値を採用した。これら、年齢に対応する人体密度の数値及び定数Ｃの値は、記憶装置２に記憶されている。
【００３１】
【表１】
2019203622.tif 000003
【００３２】
以上のようにして、入浴体積算出部１ａは、利用者情報受付部２５ａが受け付けた利用者の年齢及び体重に基づいて、当該利用者の人体の全体積のうち、浴槽２０で入浴した場合に湯水に浸かる入浴体積を算出する。そして、図２及び以下の表２に示すように、記憶装置２の入浴体積記憶部２ａに、算出した利用者毎の入浴体積を記憶する。例えば、利用者情報受付部２５ａが受け付けた利用者の年齢及び体重が１４歳及び４５ｋｇ（４５０００ｇ）の場合、入浴体積ＶＬ＝（１／１．０６５）×４５０００×０．８５０＝３５９１５ｃｍ３となる。このように、利用者が自身の年齢及び体重を登録するという単純な作業を行うだけで、入浴体積算出部１ａには、その利用者と関連付けられた入浴者体積が記憶される。
【００３３】
【表２】
2019203622.tif 000004
【００３４】
利用者判別部１ｂの機能は制御装置１によって実現される。
そして、利用者判別部１ｂは、水位検出部２２で検出される湯水の水位が、湯水量変更部Ｄが湯水量変更処理を実行していないという条件下で所定値以上変化した場合に、後述する利用者判別処理を行う。つまり、湯水量変更部Ｄが湯水量変更処理を実行していない場合、水位検出部２２で検出される湯水の水位が所定値以上変化したとすると、その水位変化は、利用者の入浴又は退浴により発生したと考えてよいので、利用者判別部１ｂがそのタイミングで利用者判別処理を行う。
或いは、利用者判別部１ｂは、水位検出部２２で検出される湯水の水位が、所定期間内に水位の変化が終了（水位が安定する）するという条件下で所定値以上変化した場合に、後述する利用者判別処理を行う。つまり、浴槽２０への足し湯が行われると水位が上昇し、浴槽２０から湯水が排水される又は入浴者が浴槽２０の湯水を桶などで取り出すと水位が低下する。但し、そのような水位の増減と比較して、利用者が入浴するときの水位上昇及び退浴するときの水位低下は、大きな変化量で且つ短時間で行われると考えてよいので、水位検出部２２で検出される湯水の水位が、所定期間内に水位の変化が終了するという条件下で所定値以上変化した場合に利用者判別部１ｂが利用者判別処理を行う。
また、上述した水位の変化としては、水位の増加と水位の減少の両方が含まれる。
【００３５】
〔利用者判別処理（水位が増加する場合）〕
図６は、水位が増加する場合に、その水位の増加をもたらした入浴者を判別する利用者判別処理を説明する図である。
図６（ａ）は、浴槽２０に入浴者が存在していない状態を示す図である。この状態では、水位検出部２２は水位Ｈ０を検出しており、その検出結果は制御装置１に伝達されている。また、その水位の検出結果は記憶装置２に記憶されている。尚、熱源機１０の試運転時に、浴槽２０に入浴者が存在していない状態において、浴槽２０での湯水の水面積を算出して記憶装置２に記憶している。つまり、本実施形態の入退浴者判別装置では、湯水の水位が変化した場合、浴槽２０での水面積とその水位差とを乗算することで、その水位差がどれだけの体積差に相当するのかを判定できる。或いは、熱源機１０の試運転時に、浴槽２０に入浴者が存在していない状態において、浴槽２０への湯水供給量（湯水体積）に対する水位の変化量の関係を測定して記憶装置２に記憶しておいてもよい。その場合、本実施形態の入退浴者判別装置では、湯水が所定の水位にある状態から湯水に所定体積の変化が生じた後で浴槽２０での湯水の水位がどのような値になるのかを判定できる。言い換えると、浴槽２０で湯水が所定の水位から別の水位へと変化したとき、その水位差がどれだけの体積差に相当するのかを判定できる。
【００３６】
図６（ｂ）は、水位検出部２２で検出される湯水の水位が、Ｈ０からΔＨ１だけ高くなった状態を示す図である。利用者判別部１ｂは、入浴体積記憶部２ａに記憶されている利用者毎の入浴体積（表２）を参照して、水位差ΔＨ１がどの利用者の入浴体積に該当するのかを判別する利用者判別処理を行う。例えば、利用者判別部１ｂは、水位差ΔＨ１に相当する体積差と最も近い入浴体積を表２の中から決定する。この場合、利用者判別部１ｂは、水位差ΔＨ１が、利用者Ａの入浴体積Ｖａにより生じる水位差Ｈａに対応すると判定する。つまり、利用者判別部１ｂは、水位検出部２２で検出された湯水の水位の変化が利用者Ａによる入浴によって発生したと判別する。
【００３７】
図６（ｃ）は、水位検出部２２で検出される湯水の水位が、Ｈ０からΔＨ２だけ高くなった状態を示す図である。利用者判別部１ｂは、入浴体積記憶部２ａに記憶されている利用者毎の入浴体積（表２）を参照して、水位差ΔＨ２がどの利用者の入浴体積に該当するのかを判別する利用者判別処理を行う。例えば、利用者判別部１ｂは、水位差ΔＨ２に相当する体積差と最も近い入浴体積を表２の中から決定する。この場合、利用者判別部１ｂは、水位差ΔＨ２が、利用者Ｂの入浴体積Ｖｂにより生じる水位差Ｈｂに対応すると判定する。つまり、利用者判別部１ｂは、水位検出部２２で検出された湯水の水位の変化が利用者Ｂによる入浴によって発生したと判別する。
【００３８】
図６（ｄ）は、水位検出部２２で検出される湯水の水位が、Ｈ０からΔＨ３だけ高くなった状態を示す図である。利用者判別部１ｂは、入浴体積記憶部２ａに記憶されている利用者毎の入浴体積（表２）を参照して、水位差ΔＨ３がどの利用者の入浴体積に該当するのかを判別する利用者判別処理を行う。例えば、利用者判別部１ｂは、水位差ΔＨ３に相当する体積差と最も近い入浴体積を表２の中から決定する。この場合、利用者判別部１ｂは、水位差ΔＨ３が、利用者Ａの入浴体積Ｖａ及び利用者Ｃの入浴体積Ｖｃの和により生じる水位差「Ｈａ＋Ｈｃ」に対応すると判定する。つまり、利用者判別部１ｂは、水位検出部２２で検出された湯水の水位の変化が利用者Ａ及び利用者Ｃによる入浴によって発生したと判別する。
【００３９】
〔利用者判別処理（水位が減少する場合）〕
図７は、水位が減少する場合に、その水位の減少をもたらした退浴者を判別する利用者判別処理を説明する図である。
図７（ａ）は、浴槽２０に入浴者が存在している状態を示す図である。この状態では、水位検出部２２は水位Ｈ０を検出しており、その検出結果は制御装置１に伝達されている。また、その水位の検出結果は記憶装置２に記憶されている。
【００４０】
図７（ｂ）は、水位検出部２２で検出される湯水の水位が、Ｈ０からΔＨ４だけ低くなった状態を示す図である。利用者判別部１ｂは、入浴体積記憶部２ａに記憶されている利用者毎の入浴体積（表２）を参照して、水位差ΔＨ４がどの利用者の入浴体積に該当するのかを判別する利用者判別処理を行う。例えば、利用者判別部１ｂは、水位差ΔＨ４に相当する体積差と最も近い入浴体積を表２の中から決定する。この場合、利用者判別部１ｂは、水位差ΔＨ４が、利用者Ａの入浴体積Ｖａにより生じる水位差Ｈａに対応すると判定する。つまり、利用者判別部１ｂは、水位検出部２２で検出された湯水の水位の変化が利用者Ａによる退浴によって発生したと判別する。
【００４１】
以上のように、本実施形態の入退浴者判別装置において、入浴体積算出部１ａは、利用者情報受付部２５ａが受け付けた利用者の年齢及び体重に基づいて、その利用者の人体の全体積のうち、浴槽２０で入浴した場合に湯水に浸かる入浴体積を算出し、入浴体積記憶部２ａは、そのようにして算出された複数の利用者の入浴体積を各別に記憶する。つまり、利用者が自身の年齢及び体重を登録するという単純な作業を行うだけで、入浴体積算出部１ａには、その利用者と関連付けられた入浴者体積が記憶される。加えて、利用者判別部１ｂは、水位検出部２２で検出される湯水の水位が所定の条件下で所定値以上変化した場合、変化の前後での水位の変化量に相当する実変化体積と、入浴体積記憶部２ａに記憶されている複数の利用者の入浴体積とを対比して、水位検出部２２で検出された湯水の水位の変化がどの利用者による入浴又は退浴或いは複数のどの利用者の組み合わせによる入浴又は退浴によって発生したのかを判別する利用者判別処理を行うことができる。
【００４２】
＜第２実施形態＞
第２実施形態の入退浴者判別装置は、利用者判別部１ｂが行う処理の内容が上記実施形態と異なっている。以下に第２実施形態の入退浴者判別装置について説明するが、上記実施形態と同様の構成については説明を省略する。
【００４３】
上記実施形態では、入浴体積算出部１ａが「入浴体積ＶＬ＝Ｖ×Ｃ＝（１／ρｈ）×ｍ×Ｃ」という算出式を用いて各利用者の入浴体積を算出する例を説明した。この算出式では、入浴時に全身体積の何割が浴槽２０の湯水に浸かるかを表す定数Ｃについて、全ての利用者に同じ値を適用している。但し、利用者それぞれで入浴時に全身体積の何割を浴槽２０の湯水に浸けるのかは様々であるため、その点を考慮すると、入浴体積算出部１ａが算出した各利用者の入浴体積が最良の値ではない場合もある。
【００４４】
そこで、第２実施形態の入退浴者判別装置において、利用者判別部１ｂは、利用者判別処理によって一人の利用者による入浴又は退浴があったと判別した場合、入浴体積算出部１ａで算出されて入浴体積記憶部２ａに記憶されている当該利用者の入浴体積の値を、実変化体積で更新する入浴体積更新処理を行う。
【００４５】
つまり、入浴体積算出部１ａで算出されて入浴体積記憶部２ａに記憶されている利用者の入浴体積（即ち、利用者の年齢及び体重に基づいて入浴体積算出部１ａが算出した入浴体積）を、より正確だと思われる利用者の実際の入浴体積（即ち、水位検出部２２の検出結果に基づく実変化体積）に更新して、以後の入浴者の判別に利用できる。
【００４６】
＜別実施形態＞
＜１＞
上記実施形態では、本発明の入退浴者判別装置について具体例を挙げて説明したが、その構成は適宜変更可能である。
例えば、浴槽２０に貯えられている湯水量を増加及び減少させる湯水量変更処理を実行可能な湯水量変更部Ｄの構成は上述した例に限定されず、適宜変更可能である。
【００４７】
＜２＞
上記実施形態では、入浴体積の算出方法について、人体密度や年齢に応じた定数Ｃなどの具体的な数値例を挙げて説明したが、それらの値は例示目的で記載したものであり適宜変更可能である。また、入浴体積の算出式についても適宜変更可能である。
【００４８】
＜３＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４９】
本発明は、入退浴者を判別する入退浴者判別装置に関する。
【符号の説明】
【００５０】
１  制御装置（湯水量変更部  Ｄ）
１ａ  入浴体積算出部
１ｂ  利用者判別部
２  記憶装置
２ａ  入浴体積記憶部
２０  浴槽
２２  水位検出部
２４  流量検出部（湯水量変更部  Ｄ）
２５  情報入出力装置
２５ａ  利用者情報受付部
Ｄ  湯水量変更部
Ｐ  ポンプ（湯水量変更部  Ｄ）
Ｖ１  弁（湯水量変更部  Ｄ）
Ｖ３  弁（湯水量変更部  Ｄ）
Ｖ４  三方弁（湯水量変更部  Ｄ）
【図１】
2019203622.tif 000005
【図２】
2019203622.tif 000006
【図３】
2019203622.tif 000007
【図４】
2019203622.tif 000008
【図５】
2019203622.tif 000009
【図６】
2019203622.tif 000010
【図７】
2019203622.tif 000011